(57)【要約】【課題】各洗浄モードにおいて便器への洗浄水量を変化させることが出来る洗浄水タンク装置を提供する。【解決手段】便器（１）を洗浄する洗浄水を貯水する洗浄水タンク装置（１８）であって、底面に排水口が形成された貯水タンク（２２）と、排水口（２２ａ）を取り囲むように貯水タンクの底面から上方に延びる側面（７６ｂ）に開口部（７６ｃ）が形成された筒体（７６）と、開口部を開閉する切替弁（９０、９２）と、筒体の内方に配置され、貯水部（７８ｄ）を備えた制御筒（７８）と、貯水部内の洗浄水の水位に応じて上下動可能に貯水部内に配置されるフロート（８０）と、貯水部内の洗浄水の流出による貯水筒内の水位の低下に伴うフロートの下降に連動して下降し排水口を閉止するよう構成された排水弁（７４、７２）と、制制御筒の貯水部内の洗浄水を流出させる洗浄水の流量を調節する流量調節手段（７８ｅ、７８ｆ、８６）と、を有する。【選択図】図２
2011241555.tif 000002
【特許請求の範囲】
【請求項１】
便器を洗浄する洗浄水を貯水する洗浄水タンク装置であって、
洗浄水が貯水され、底面に排水口が形成された貯水タンクと、
上記排水口を取り囲むように上記貯水タンクの底面から上方に延びる側面を有し、その上面が開放されると共に上記側面に開口部が形成された筒体と、
この筒体に形成された開口部を開閉する切替弁と、
上記筒体の内方に配置され、洗浄水を貯水する貯水部を備えた制御筒と、
上記貯水部内の洗浄水の水位に応じて上下動可能に上記貯水部内に配置されるフロートと、
上記制御筒の貯水部内の洗浄水の流出による上記貯水筒内の水位の低下に伴うフロートの下降に連動して下降し上記排水口を閉止するよう構成された排水弁と、
上記制御筒の貯水部内から流出する洗浄水の流量を調節する流量調節手段と、を有することを特徴とする洗浄水タンク装置。
【請求項２】
上記流量調節手段は、上記制御筒の貯水部に形成され貯水部内の洗浄水を流出させる流出口と、この流出口の開口断面積を調節する調節部材と、を有する請求項１記載の洗浄水タンク装置。
【請求項３】
上記貯水部の流出口は、上記筒体に形成された開口部に対して反対側の上記貯水部の側面に形成されている請求項２に記載の洗浄水タンク装置。
【請求項４】
上記調節部材は、上記流出口に対してスライドして、その流出口の開口断面積を調節する請求項２又は請求項３に記載の洗浄水タンク装置。
【請求項５】
上記貯水部に形成された流出口は少なくとも２つ形成され、上記調節部材は、上記少なくとも２つの流出口のうち１つを常時開き、残りの流出口を所望される洗浄水量に応じて段階的に開閉するよう切り替える切替部材である請求項２乃至４のいずれか１項に記載の洗浄水タンク装置。
【請求項６】
上記貯水部に形成された流出口は２つ形成され、上記調節部材は上記２つの流出口のうち、一方の流出口のみを開閉するよう設けられる切替部材である請求項２乃至４のいずれか１項に記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
特許文献１には、便器を洗浄する洗浄水を貯水する洗浄水タンク装置として、便器を洗浄する洗浄水を貯水する洗浄水タンク装置として、貯水タンクの底部に形成された排水口を囲むように設けられた筒体の側面に開口を形成すると共にその開口を開閉可能な弁体を設け、大洗浄のとき、筒体の開口を開放したままにすることにより洗浄水量を多くし、一方、小洗浄のとき、筒体の開口を弁体で閉じることにより洗浄水量を少なくして、大洗浄と小洗浄との２段階の洗浄モードを切り替えるようにした排水装置を備えるものが開示されている。
【０００３】
この特許文献１に開示された排水装置では、筒体の内方に、貯水筒を設け、この貯水筒内に、排水口を閉弁する弁体と連動して上下動可能なフロートを配置し、貯水筒に排水小通路を形成することにより、排水開始時、貯水筒の排水小通路からの洗浄水の排出を開始して、貯水筒内の水位を徐々に低下させ、その水位の低下に伴うフロートの下降と共に排水弁体を下降させ、所望のタイミングで排水口を閉弁するようにしている。
【０００４】
また、特許文献２には、便器を洗浄する洗浄水を貯水する洗浄水タンク装置として、貯水タンクの底部に形成された排水口をフロート弁で開閉し、その排水口を囲むように設けられた筒体の側面に複数の通水孔を形成すると共にそれらの通水孔の開口断面積を調節して、便器へ供給される洗浄水の水量を調節するようにした排水装置を備えるものが開示されている。
【先行技術文献】
【特許文献】
【０００５】
【特許文献１】特開昭６１−７２１４４号公報
【特許文献２】特開２００２−２１１４４号公報
【発明の概要】
【発明が解決しようとする課題】
【０００６】
ここで、近年の節水ニーズにより、例えば、大洗浄、小洗浄のような洗浄モードにおいて、それぞれ、洗浄水量をより少なくすることが求められている。また、従来の小洗浄よりさらに洗浄水量の少ない小洗浄も要望されている。一方、このように洗浄水量をより少なくようとすると、洗浄水タンク装置を設ける便器が古い型のものでは洗浄水量不足による洗浄不良が生じたり、或いは、便器の下流側の下水道配管の制約により汚物などが流れにくくなるなどの問題が生じ、洗浄水量を多くせざるを得ない場合もある。
【０００７】
このような問題に対し、特許文献１に記載の洗浄水タンク装置では、大洗浄、小洗浄、それぞれの洗浄モードにおいて、洗浄水量は一定のものとなっており、洗浄水量を変化させることが出来ないものである。
【０００８】
一方、特許文献２に記載の洗浄水タンク装置では、筒体の側面に形成された通水孔の開口断面積を変化させることにより、洗浄水量を変化させることが出来るものであるが、筒体の外方から内方に流入する洗浄水が、直接、排水口を閉止するフロート弁に流入するようになっているので、その流入した洗浄水の水勢が増した場合、排水口を閉止するフロート弁の動作が不安定になり、所望の洗浄水量を得ることが出来ないという問題がある。
【０００９】
そこで、本発明は、上述した従来技術の問題点を解決するためになされたものであり、各洗浄モードにおいて便器への洗浄水量を変化させることが出来る洗浄水タンク装置を提供することを目的としている。
【課題を解決するための手段】
【００１０】
上記の目的を達成するために、本発明は、便器を洗浄する洗浄水を貯水する洗浄水タンク装置であって、洗浄水が貯水され、底面に排水口が形成された貯水タンクと、排水口を取り囲むように貯水タンクの底面から上方に延びる側面を有し、その上面が開放されると共に側面に開口部が形成された筒体と、この筒体に形成された開口部を開閉する切替弁と、筒体の内方に配置され、洗浄水を貯水する貯水部を備えた制御筒と、貯水部内の洗浄水の水位に応じて上下動可能に貯水部内に配置されるフロートと、制御筒の貯水部内の洗浄水の流出による貯水筒内の水位の低下に伴うフロートの下降に連動して下降し排水口を閉止するよう構成された排水弁と、制御筒の貯水部内から流出する洗浄水の流量を調節する流量調節手段と、を有することを特徴としている。
このように構成された本発明においては、排水弁が、貯水部内の洗浄水が流出することによる貯水筒内の水位の低下に伴うフロートの下降に連動して下降し排水口を閉止させるよう構成され、その貯水部内の洗浄水の水位の低下速度は、流量調節手段により貯水部内の洗浄水を流出させる流量を調節することで調節することが出来るので、貯水筒内の水位の低下速度及びフロートの下降速度を変化させることが出来る。従って、フロートに連動して下降し排水口を閉止する排水弁の閉弁タイミングも変化させることが出来る。その結果、各洗浄モードにおいて、便器へ供給される洗浄水量を変化させることが出来る。また、本発明は、このように貯水部内の水位の低下に連動させて排水弁の下降速度を変化させることにより、閉弁タイミングを調節するものであり、フロート及び排水弁は、筒体の内方に配置された制御筒のさらに内方に設けられているので、筒体に形成された開口部から流入する洗浄水の影響を受けることを抑制して、排水弁の動作を安定させることが出来、より確実に、所望の洗浄水量を得ることが出来る。
【００１１】
本発明において、好ましくは、流量調節手段は、制御筒の貯水部に形成され貯水部内の洗浄水を流出させる流出口と、この流出口の開口断面積を調節する調節部材と、を有する。
このように構成された本発明においては、より確実に、貯水筒内の水位の低下速度及びフロートの下降速度を変化させることが出来、従って、フロートに連動して下降し排水口を閉止する排水弁の閉弁タイミングも、より確実に、変化させることが出来る。その結果、各洗浄モードにおいて、便器へ供給される洗浄水量をより確実に変化させることが出来る。
【００１２】
本発明において、好ましくは、貯水部の流出口は、筒体に形成された開口部に対して反対側の貯水部の側面に形成されている。
このように構成された本発明においては、流出口は、筒体に形成された開口部とは反対側の貯水部の側面に形成されているので、筒体の開口部から筒体内に流入する洗浄水の影響を受けることを抑制して、貯水筒の流出口から流出される洗浄水の流量を安定させることが出来、その結果、排水弁の動作を安定させることが出来る。
【００１３】
本発明において、好ましくは、調節部材は、流出口に対してスライドして、その流出口の開口断面積を調節する。
このように構成された本発明においては、簡単な構造で、排水弁の閉弁タイミングを変化させることが出来る。
【００１４】
本発明において、好ましくは、貯水部に形成された流出口は、少なくとも２つ形成され、調節部材は、少なくとも２つの流出口のうち１つを常時開き、残りの流出口を所望される洗浄水量に応じて段階的に開閉するよう切り替える切替部材である。
このように構成された本発明においては、各洗浄モードにおいて、少なくとも２通りに洗浄水量を得ることが出来る。
【００１５】
本発明において、好ましくは、貯水部に形成された流出口は２つ形成され、調節部材は２つの流出口のうち、一方の流出口のみを開閉するよう設けられる切替部材である。
このように構成された本発明においては、調節部材により２つの流出口を常時開いた状態にして、貯水筒内の水位の低下速度及びフロートの下降速度を早め、従って、排水弁の閉弁タイミングも早めて、洗浄水量を少なくして近年の節水ニーズの要請を満たし、一方、所望される洗浄水量がそのような場合より多い場合には、調節部材により流出口を１つにして、貯水筒内の水位の低下速度及びフロートの下降速度をより遅くすることにより、排水弁の閉弁タイミングをより遅くし、閉弁タイミングを遅らせた分、洗浄水量を増量することが出来る。
【発明の効果】
【００１６】
本発明の洗浄水タンク装置によれば、各洗浄モードにおいて便器への洗浄水量を変化させることが出来る。
【図面の簡単な説明】
【００１７】
【図１】本発明の実施形態による洗浄水タンク装置が適用された水洗便器の断面図である。
【図２】本発明の実施形態による洗浄水タンク装置の概略構造を示す正面断面図である。
【図３】本発明の実施形態による洗浄水タンク装置の排水装置の分解斜視図である。
【図４】本発明の実施形態による洗浄水タンク装置の排水装置の断面図である。
【図５】本発明の実施形態による洗浄水タンク装置の排水装置の制御筒の斜視図である。
【図６】本発明の実施形態による洗浄水タンク装置の排水装置の斜視図である。
【図７】本発明の実施形態による洗浄水タンク装置の大洗浄モードにおける排水開始時の状態を示す概略断面図である。
【図８】本発明の実施形態による洗浄水タンク装置の大洗浄モードにおける排水途中の状態を示す概略断面図である。
【図９】本発明の実施形態による洗浄水タンク装置の大洗浄モードにおける排水終了後の状態を示す概略断面図である。
【図１０】本発明の実施形態による洗浄水タンク装置の小洗浄モードにおける排水開始時の状態を示す概略断面図である。
【図１１】本発明の実施形態による洗浄水タンク装置の小洗浄モードにおける排水開始直後の状態を示す概略断面図である。
【図１２】小洗浄モードの排水途中における第１切替弁の保持状態を説明するための要部拡大断面図である。
【図１３】本発明の実施形態による洗浄水タンク装置の小洗浄モードにおける排水途中の状態を示す概略断面図である。
【図１４】本発明の実施形態による洗浄水タンク装置の小洗浄モードにおける排水途中の状態を示す概略断面図である。
【図１５】本発明の実施形態による洗浄水タンク装置の小洗浄モードにおける排水終了後の状態を示す概略断面図である。
【図１６】本発明の実施形態による洗浄水タンク装置のエコ小洗浄モードにおける排水開始時の状態を示す概略断面図である。
【図１７】本発明の実施形態による洗浄水タンク装置のエコ小洗浄モードにおける排水開始直後の状態を示す概略断面図である。
【図１８】本発明の実施形態による洗浄水タンク装置のエコ小洗浄モードにおける排水途中の状態を示す概略断面図である。
【図１９】本発明の実施形態による洗浄水タンク装置のエコ小洗浄モードにおける排水終了直前の状態を示す概略断面図である。
【図２０】本発明の実施形態による洗浄水タンク装置のエコ小洗浄モードにおける排水終了後の状態を示す概略断面図である。
【図２１】本発明の実施形態による洗浄水タンク装置の排水装置の制御筒の側面図であり、スライド部材が一方の小穴を開いている状態（ａ）及びスライド部材が一方の小穴を閉じている状態（ｂ）を示す図である。
【発明を実施するための形態】
【００１８】
次に、添付図面により、本発明の実施形態による洗浄水タンク装置を説明する。
先ず、図１により、本発明の実施形態による洗浄水タンク装置が適用された水洗便器を説明する。図１は、本発明の実施形態による洗浄水タンク装置が適用された水洗便器の断面図である。
【００１９】
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００２０】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２１】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００２２】
次に、図２により、洗浄水タンク装置１８の概略構成について説明する。図２は、本発明の実施形態による洗浄水タンク装置の概略構造を示す正面断面図である。なお、本実施形態による洗浄水タンク装置は、上述した洗落し式以外の他のタイプの水洗便器（例えば、サイホン式水洗便器など）にも適用可能である。
【００２３】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００２４】
貯水タンク２２は、それを取り囲むように断熱体２６が設けられ、この断熱体２６を介して、所定の係合部材２８により、貯水タンク２２が外装タンク２０に取り付けられる。また、貯水タンク２２の底面には、上述した便器本体の導水路６に連通する排水口２２ａが形成されている。この排水口２２ａの側面に延びる排水口部材２２ｂを所定の係合部材３０で固定することによっても、貯水タンク２２が外装タンク２０に取り付けられる。
【００２５】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入される。
この蓋体２４の下方には、吐水口２４ｂから流入する水を、後述する排水装置７０の制御筒７８の外方に導く導水部材２５が設けられている。
【００２６】
次に、洗浄水タンク装置１８は、洗浄水給水装置３４を備えている。この洗浄水給水装置３４は、従来のものと同様のものであり、外部の水道管などの給水源（図示せず）に接続される給水管３６、給水装置用フロート３８、給水管３６と連通し、貯水タンク２２に洗浄水を吐水する吐水管４０、給水装置用フロート３８にレバー４２を介して連結される給水バルブ４４などを備えている。
【００２７】
本実施形態では、この洗浄水給水装置３４により、排水開始の所定時間後、給水を開始するようにしている。本実施形態では、貯水タンク２２の満水時の止水水位は、図２に示す位置（ＷＬ）で一定になるようにしている。
【００２８】
また、この洗浄水給水装置３４は、手洗いカラン３２に水を供給する手洗い給水管３１を備え、便器への洗浄水の供給開始時（排水開始時）、上述した蓋体２４の手洗いカラン３２に水の供給を開始するようにしている。
【００２９】
次に、洗浄水タンク装置１８は、操作装置４６及びこの操作装置４６の操作により作動される排水装置７０を備えている。
【００３０】
まず、操作装置４６について説明する。
操作装置４６は、操作レバー４８と、モータ５０と、このモータ５０に接続される操作ボタン５２（図２にのみ図示）と、を備える。操作ボタン５２は、後述する大洗浄用、小洗浄用、エコ小洗浄用の３つの操作ボタンを備えている。
【００３１】
操作レバー４８は、一方（本実施形態では、手前側）に（９０度）回動させると、後述する大洗浄が開始され、他方（本実施形態では、奥側）に（９０度）回動させると、後述する小洗浄が開始されるように、排水装置７０を作動させる手動式の操作レバーである。また、モータ５０は、大洗浄のボタンが押されると、操作レバー４８と同一の一方（手前側）の方向に回転し、小洗浄のボタンが押されると、操作レバー４８と同一の他方（奥側）の方向に回転して、それぞれ、大洗浄或いは小洗浄が開始されるように排水装置７０を作動させるようになっている。このように、本実施形態では、使用者は、大洗浄及び小洗浄については、操作レバー４８を操作しても良いし、操作ボタン５２を押しても良い。エコ小洗浄については、モータ５０によってのみ、即ち、使用者が操作ボタンを押すことによって、排水装置７０が作動される。
【００３２】
これらの操作レバー４８及びモータ５０には、ワイヤ部材やユニバーサルジョイントなどにより構成される回転伝達部材５４が連結されている。この回転伝達部材５４の他端側には、その回転に伴って、回転伝達部材５４を中心に揺動する第１の引き上げ部材５６及び第２の引き上げ部材５８が取り付けられ、これらの第１の引き上げ部材５６及び第２の引き上げ部材５８の先端部には、それぞれ、第１玉鎖６０の上端部分及び第２玉鎖６２の上端部分が取り付けられている。
【００３３】
これらの第１の引き上げ部材５６及び第２の引き上げ部材５８は、回転伝達部材５４を一方側（大洗浄時）に回転させると、第１の引き上げ部材５６のみが、その一方側に揺動して第１玉鎖６０のみを引き上げ、一方、回転伝達部材５４を他方側（小洗浄時、エコ小洗浄時）に回転させると、第１の引き上げ部材５６及び第２の引き上げ部材５８の両方が、その他方側に揺動して第１玉鎖６０及び第２玉鎖６２の両方を引き上げるような機械的な機構とされている。
【００３４】
次に、図２乃至図５により、排水装置７０について説明する。
図３は、本発明の実施形態による洗浄水タンク装置の排水装置の分解斜視図であり、図４は、本発明の実施形態による洗浄水タンク装置の排水装置の断面図であり、図５は、本発明の実施形態による洗浄水タンク装置の排水装置の制御筒の斜視図であり、図６は、本発明の実施形態による洗浄水タンク装置の排水装置の斜視図である。
【００３５】
先ず、図３に示すように、本実施形態による洗浄水タンク装置の排水装置７０は、弁体７２と、オーバーフロー管７４と、筒体７６と、制御筒７８と、フロート８０と、オーバーフロー管に固定される固定部材８２と、筒体７６に形成された後述する開口部７６ｃを開閉する切替弁８４（９０、９２）と、を有する。
【００３６】
先ず、図２乃至図６により、排水装置７０が備える排水弁機構を説明する。
先ず、弁体７２は、図２及び図４に示すように、オーバーフロー管７４の下端部に形成された断面コ字状の弁体保持部７４ａにはめ込まれ、オーバーフロー管７４と共に上下動して、排水口２２ａを開閉する排水弁として機能する。また、オーバーフロー管７４の側面には、その上下方向の中間部に、固定部材８２を保持するための凹部７４ｂが一周にわたって延びるように形成されている。
【００３７】
次に、図４及び図５に示すように、制御筒７８には、ほぼ円筒状の外側壁７８ａと、オーバーフロー管７４の上下動をガイドする役割を有する円筒状の内側壁７８ｂと、が形成されている。また、図４に示すように、制御筒７８には、これらの側壁７８ａ、７８ｂと共に洗浄水を貯水可能にする中間水平壁７８ｃが形成され、これらの側壁７８ａ、７８ｂ及び中間水平壁７８ｃにより貯水筒（貯水部）７８ｄが構成される。
【００３８】
また、貯水筒７８ｄの外側壁７８ａには、貯水筒７８ｄ内に貯水された洗浄水を所定の流量で流出させるための２つの小穴７８ｅ、７８ｆが形成されている。そして、一方の小穴７８ｅは、スライド部材（切替部材）８６によりスライドして開閉可能となっており、貯水筒７８ｄ内から流出させる洗浄水の流量を調節することが出来るようになっている。
【００３９】
また、制御筒７８の外側壁７８ａには、上述した貯水筒７８ｄより下方部分に、排水時に、制御筒７８の外方側の洗浄水を排水口２２ａに流入させるための流入口７８ｇが形成されている。
【００４０】
次に、図４に示すように、上述した貯水筒７８ｄの内方にフロート８０が配置されている。この上方には、所定の機能を有する固定部材８２が、上述したオーバーフロー管７４の凹部７４ｂ内に側方からはめ込まれ、これにより、固定部材８２は、オーバーフロー管７４に対して水平方向に回転できるように取り付けられ、一方、オーバーフロー管７４に対して上下方向には移動出来ないよう固定されるようになっている。
【００４１】
先ず、固定部材８２には、上述した第１の引き上げ部材５６に取り付けられた第１玉鎖６０の下端部分が取り付けられ、排水時に、オーバーフロー管７４を引き上げるために使用される。使用者が操作レバー４８を回転させ、或いは、洗浄のボタンが押されモータ５０が作動されると、第１玉鎖６０が引き上げられるが、その際に、オーバーフロー管７４の弁体７２は貯水タンク２２内に貯水されている洗浄水のヘッド圧により鉛直下方向に抑えられているため、先ず、固定部材８２がオーバーフロー管７４に対して水平方向に回転し、その後、オーバーフロー管７４が鉛直上方に移動することになる。
このような構成により、オーバーフロー管７４が回転しながら鉛直方向上方に移動することを防ぐことができ、排水装置７０の開弁動作を安定させることができる。
【００４２】
次に、固定部材８２は、満水時には、フロート８０の上昇を抑えるストッパとしての機能を有し、排水時には、後述するように、オーバーフロー管７４及び弁体７２が、フロート８０の下降と連動して下降するよう、オーバーフロー管７４とフロート８０とを接続する機能を有する。固定部材８２は、これらの機能を有するように、フロート８０の上面に十分に当接するような形状及び大きさに形成されている。ここで、フロート８０の浮力は、満水時、弁体７２にかかる水圧によりオーバーフロー管７４及び弁体７２を上昇させないような浮力に設定され、排水時には、オーバーフロー管７４及び弁体７２にかかる下方向きの力よりやや大きい浮力に設定されている。なお、フロート８０とオーバーフロー管７４とを互いに固定して、常時接続するようにしても良い。
【００４３】
次に、図２乃至図４、図６により、筒体７６及び切替弁８６などにより構成される流量調節機構について説明する。
先ず、図３及び図６に示すように、筒体７６は、その横断面形状がほぼ矩形状に形成され、４辺の上縁部７６ａを有し、上方が開放されている。また、筒体７６は、矩形状に形成された筒体７６の４つの側面のうち、１つの側面７６ｂにのみ、開口部７６ｃが１つだけ形成されている。開口部７６ｃは、矩形状に形成されている。
【００４４】
そして、この開口部７６ｃを開閉可能な切替弁８４として、図３、図４及び図６に示すように、第１切替弁９０及びその外方側に設けられる第２切替弁９２が設けられている。
【００４５】
図３に示すように、筒体７６は、開口部７６ｃの下方且つ側方の両側に軸７６ｄを備え、第１切替弁９０は、それらの軸７６ｄにより揺動自在に嵌められる受部９０ａを備え、第２切替弁９２には、その受部９０ａに揺動自在に嵌められる孔部９２ａが形成されている。そして、図６に示すように、筒体７６に第１切替弁９０及び第２切替弁９２が取り付けられると、それらの軸７６ｄ、受部９０ａ、孔部９２ａにより、軸体９４が構成される。
【００４６】
従って、第１切替弁９０は、この軸体９４により、軸体９４を中心に、下方位置から開口部７６ｃを閉じる位置まで揺動可能になり、第２切替弁９２は、下方位置から開口部７６ｃを閉じた第１切替弁９０に隣接する位置まで揺動可能になっている。
【００４７】
次に、図３、図４及び図６に示すように、第１切替弁９０には、第１切替弁９０が開口部７６ｃを閉じたとき、筒体７６の外方と内方とを連通させる連通口９０ｂが形成されている。この連通口９０ｂの開口断面積は、開口部７６ｃの開口断面積よりも小さく、その大きさは、開口部７６ｃを全開にしたときより、洗浄水の流量が所定量少なくなるような大きさに形成されている。このように、第１切替弁９０は、筒体７６の開口部７６ｃの開口断面積を調節（減少）することが出来るようになっている。
【００４８】
次に、第２切替弁９２には、第１切替弁９０側に向けて延びる突出部９２ｂが形成されている。この突出部９２ｂは、第２切替弁９２が第１切替弁９０に近接され或いは隣接されたとき、第１切替弁９０の連通口９０ｂに挿入可能な位置及び角度に形成されている。
【００４９】
また、この第２切替弁９２には、上述した軸体９４の反対側の先端位置に、上述した第２の引き上げ部材５８に取り付けられた第２玉鎖６２の下端部分が取り付けられている。また、第１切替弁９０には、錘９６が取り付けられ、第２切替弁９２には、錘９８が取り付けられている。
【００５０】
図２及び図４に示すように、筒体７６の内方に制御筒７８が取り付けられ、図２に示すように、筒体７６及び制御筒７８は、排水口２２ａを取り囲むように貯水タンク２２の底部に取り付けられ、これにより、オーバーフロー管７４が上下動可能に構成され、弁体７２が排水口２２ａを開閉するようにされている。
【００５１】
このとき、図２及び図４に示すように、制御筒７８及び筒体７６は、それぞれ、制御筒７８の貯水筒（貯水部）７８ｄの外側壁７８ａに形成された小穴７８ｅ、７８ｆが、筒体７６に形成された開口部７６ｃの反対側に位置するように取り付けられている。
【００５２】
次に、本発明の実施形態によるタンク装置の動作を説明する。
先ず、図７乃至図９により、本発明の実施形態による洗浄水タンク装置により実行される３種類の洗浄モードのうち、大洗浄モードを説明する。
図７は、本発明の実施形態による洗浄水タンク装置の大洗浄モードにおける排水開始時の状態を示す概略断面図であり、図８は、本発明の実施形態による洗浄水タンク装置の大洗浄モードにおける排水途中の状態を示す概略断面図であり、図９は、本発明の実施形態による洗浄水タンク装置の大洗浄モードにおける排水終了後の状態を示す概略断面図である。
【００５３】
なお、以下で説明する大洗浄、小洗浄、エコ小洗浄の各洗浄モードは、いずれも、上述した貯水筒７８ｄに形成した小穴７８ｅ、７８ｆが２つとも開かれている状態（スライド部材８６で小穴７８ｅを閉じない状態）での例である。
【００５４】
先ず、図７に示すように、大洗浄モードの開始時、使用者が操作レバー４８を手前側に９０度回転させ、或いは、大洗浄のボタンが押されモータ５０が作動（駆動）されると、第１の引き上げ部材５６のみが揺動され、第１玉鎖６０を介してオーバーフロー管７４及び弁体７２が、図７に示すような高さ位置まで引き上げられ、これにより、排水口２２ａが開いて、排水が開始される。
【００５５】
このような引き上げの完了の直後に操作レバー４８は初期位置に戻されて、第１の引き上げ部材５６が初期位置に戻され、或いは、モータ５０の作動により引き上げが行われたときは、引き上げの完了の直後に第１の引き上げ部材５６が初期位置に戻るようにモータ５０が作動される。
なお、このとき、第２の引き上げ部材５８は揺動されないので、筒体７６の開口部７６ｃを開閉する各切替弁９０、９２は、図７に示すように、開口部７６ｃから離間した位置のままである。従って、筒体７６の開口部７６ｃは全開であり、その開口断面積も変わらない。
【００５６】
次に、図８に示すように、排水開始後、貯水タンク２２内の洗浄水の全体の水位（ＷＬ）が時間と共に低下し、水位が筒体７６の上縁部７６ａ付近まで低下した時点で、筒体７６内の洗浄水が急激に排水口２２ａから排出されるようになる。
【００５７】
また、これに伴い、貯水筒７８ｄ内の洗浄水の水位は、小穴７８ｅ、７８ｆから流出する流量に応じて所定の速度で低下し始める。従って、そのような貯水筒７８ｄ内の水位の低下に伴ってフロート８０も下降し、そのフロート８０の下降に連動してオーバーフロー管７４及び弁体７２も、フロート８０の下降速度と同じ速度で下降する。そして、所定時間経過後、貯水筒７８ｄ内の洗浄水の水位がフロート８０に浮力を与えない水位まで低下したとき、弁体７２が排水口２２ａを閉じ（閉弁）、排水が終了する。
【００５８】
次に、図９に示す水位（ＷＬ１）は、閉弁直後の筒体７６の外方の水位であり、水位（ＤＷＬ（ａ））は、そのような閉弁後に、筒体７６の外方の洗浄水が、開口部７６ｃを介して筒体７６の内方に流入し、最終的に得られる、死水水位である。
このように、閉弁直後の筒体７６の外方の水位（ＷＬ１）が、開口部７６ｃの上縁より上方に位置するようにすることで、開口部７６ｃへ流入する洗浄水をヘッド圧が高いものとなり、洗浄が終了するまで水勢の強い洗浄水が排水される。
【００５９】
次に、図１０乃至図１５により、本発明の実施形態による洗浄水タンク装置により実行される小洗浄モードを説明する。
図１０は、本発明の実施形態による洗浄水タンク装置の小洗浄モードにおける排水開始時の状態を示す概略断面図であり、図１１は、本発明の実施形態による洗浄水タンク装置の小洗浄モードにおける排水開始直後の状態を示す概略断面図であり、図１２は、小洗浄モードの排水途中における第１切替弁の保持状態を説明するための要部拡大断面図であり、図１３は、本発明の実施形態による洗浄水タンク装置の小洗浄モードにおける排水途中の状態を示す概略断面図であり、図１４は、本発明の実施形態による洗浄水タンク装置の小洗浄モードにおける排水途中の状態を示す概略断面図であり、図１５は、本発明の実施形態による洗浄水タンク装置の小洗浄モードにおける排水終了後の状態を示す概略断面図である。
【００６０】
先ず、図１０に示すように、小洗浄モードの開始時、使用者が操作レバー４８を奥側に９０度回転させ、或いは、小洗浄のボタンが押されモータ５０が作動されると、第１の引き上げ部材５６及び第２の引き上げ部材５８の両方が揺動して、第１玉鎖６０を介してオーバーフロー管７４及び弁体７２が図１０に示すような高さ位置まで引き上げられて、排水口２２ａが開いて、排水が開始される。また同時に、第２玉鎖６２を介して第２切替弁９２が引き上げられる。この第２切替弁９２の内方側には第１切替弁９０が設けられているので、第１切替弁９０も第２切替弁９２により引き上げられ、本実施形態では、図１０に示すように、開口部７６ｃを閉じる位置まで引き上げられる。
【００６１】
このような引き上げの完了の直後に操作レバー４８は初期位置に戻されて、第１の引き上げ部材５６及び第２の引き上げ部材５８は初期位置に戻され、或いは、モータ５０の作動により引き上げが行われたときは、引き上げの完了の直後に第１の引き上げ部材５６及び第２の引き上げ部材５８が初期位置に戻るようにモータ５０が作動される。
【００６２】
そして、第２の引き上げ部材５８が初期位置に戻されると、第２切替弁９２は、その自重により、図１１に示すような初期の位置に戻る。また、錘９８により、より確実に、このような初期の位置に戻るようになっている。
【００６３】
一方、第１切替弁９０は、開口部７６ｃを閉じる位置に保持されたままである。これを図１２により説明する。
図１２に示すように、排水開始後、筒体７６の内方を流れる洗浄水の流速が、筒体７６の外方を流れる洗浄水の流速より相対的に大きくなる。これは、筒体７６の内方の流路面積が、第１切替弁９０の連通口９０ｂの流路面積より大きいためである。そして、筒体７６の内方を流れる洗浄水の流速が、筒体７６の外方を流れる洗浄水の流速より相対的に大きくなると、図１２に示すように、第１切替弁９０の内外で差圧が生じ、第１切替弁９０には、図１２に示すような力が加わって、閉じた状態に保持される。
【００６４】
また、図１４で説明するように、筒体７６内の洗浄水が急激に排水口２２ａから排出され、筒体７６内の洗浄水が無くなるような状態では、筒体７６の外方の洗浄水の水圧により保持される。
【００６５】
一方、第２切替弁９２は、受圧面積が小さいため、このような圧力差の影響を受けにくく、上述したように、自重や錘９８により、初期位置に戻る。
【００６６】
このように、第１切替弁９０は、開口部７６ｃを閉じた状態に保持され、これにより、筒体７６の開口部７６ｃの開口断面積は、第１切替弁９０の連通口９０ｂの開口断面積まで減少される。従って、開口部７６ｃを介して、筒体７６の外方から内方へ流入する洗浄水の流量は、その開口断面積の減少分、少なくなる。
【００６７】
次に、図１３に示すように、貯水タンク２２内の洗浄水の全体の水位（ＷＬ）が時間と共に低下し、その後、図１４に示すように、上述した大洗浄モードと同様に、水位が筒体７６の上縁部７６ａ付近まで低下した時点で、筒体７６内の洗浄水が急激に排水口２２ａから排出されるようになる。
【００６８】
また、これに伴い、貯水筒７８ｄ内の洗浄水も、小穴７８ｅ、７８ｆから流出する流量に応じて所定の速度で低下し始める。従って、そのような貯水筒７８ｄ内の水位の低下に伴ってフロート８０も下降し、そのフロート８０の下降に連動してオーバーフロー管７４及び弁体７２も、フロート８０の下降速度と同じ速度で下降する。そして、所定時間経過後、貯水筒７８ｄ内の洗浄水の水位がフロート８０に浮力を与えない水位まで低下したとき、弁体７２が排水口２２ａを閉じ、排水が終了する。このときのフロート８０、オーバーフロー管７４及び弁体７２の下降速度は、大洗浄時とほぼ同じである。従って、貯水筒７８ｄ内の洗浄水の水位が低下し始めてから、閉弁に至るまでの時間は、大洗浄モードとほぼ同じとなる。
【００６９】
図１５に示す水位（ＷＬ２）は、閉弁直後の筒体７６の外方の水位であり、水位（ＤＷＬ（ａ））は、そのような閉弁後に、筒体７６の外方の洗浄水が、開口部７６ｃを介して筒体７６の内方に流入し、最終的に得られる、死水水位である。
このように、閉弁直後の筒体７６の外方の水位（ＷＬ２）が、開口部７６ｃの上縁より上方に位置するようにすることで、開口部７６ｃへ流入する洗浄水をヘッド圧が高いものとなり、大洗浄モードと同様に、小洗浄モードでも、洗浄が終了するまで水勢の強い洗浄水が排水される。
【００７０】
次に、図１６乃至図２０により、本発明の実施形態による洗浄水タンク装置により実行されるエコ小洗浄モードを説明する。
図１６は、本発明の実施形態による洗浄水タンク装置のエコ小洗浄モードにおける排水開始時の状態を示す概略断面図であり、図１７は、本発明の実施形態による洗浄水タンク装置のエコ小洗浄モードにおける排水開始直後の状態を示す概略断面図であり、図１８は、本発明の実施形態による洗浄水タンク装置のエコ小洗浄モードにおける排水途中の状態を示す概略断面図であり、図１９は、本発明の実施形態による洗浄水タンク装置のエコ小洗浄モードにおける排水終了直前の状態を示す概略断面図であり、図２０は、本発明の実施形態による洗浄水タンク装置のエコ小洗浄モードにおける排水終了後の状態を示す概略断面図である。
【００７１】
先ず、図１６に示すように、エコ小洗浄モードの開始時、使用者がエコ小洗浄のボタンが押し、モータ５０が作動されると、第１の引き上げ部材５６及び第２の引き上げ部材５８の両方が揺動して、第１玉鎖６０を介してオーバーフロー管７４及び弁体７２が図１６に示すような高さ位置まで引き上げられて、排水口２２ａが開いて、排水が開始される。また同時に、第２玉鎖６２を介して第２切替弁９２が引き上げられる。この第２切替弁９２の内方側には第１切替弁９０が設けられているので、第１切替弁９０も第２切替弁９２により引き上げられ、本実施形態では、第１切替弁９０及び第２切替弁９２は、図１６に示すような角度位置まで引き上げられ、開口部７６ｃに所定距離近接される。
【００７２】
本実施形態では、エコ小洗浄モードのとき、このような引き上げの完了後、第１の引き上げ部材５６及び第２の引き上げ部材５８が、その位置に保持（ホールド）されるようモータ５０が作動される。即ち、オーバーフロー管７４、弁体７２、及び、第２切替弁９２は、図１６に示す位置に保持され、後述するように、その状態が所定時間、保持される。
【００７３】
一方、第１切替弁９０は、図１７に示すように、筒体７６の内方を流れる洗浄水の流速による負圧により、開口部７６ｃ側に引きつけられ、その後、上述したように、筒体７６の内外の流速差により生じる差圧により、開口部７６ｃを閉じる位置に保持される。この図１７に示すように、第２切替弁９２が保持される角度位置は、第１切替弁９０が開口部７６ｃを閉じる位置に保持されているとき、第２切替弁９２に形成された突出部９２ｂが、第１切替弁９０の連通口９０ｂに挿入されているように設定されている。
【００７４】
なお、上述した小洗浄モードでも、排水開始時の第２切替弁９２の引き上げを、図１６のような角度位置までにして、第１切替弁９０を、上述した負圧により開口部７６ｃ側に引きつけると共に上述した筒体内外の差圧により開口部７６ｃを閉じる位置に保持するようにしても良い。
【００７５】
このように、エコ小洗浄モードでは、第１切替弁９０は、開口部７６ｃを閉じた状態に保持され、第２切替弁９２は、第２の引き上げ部材５８、玉鎖６２などを介してモータ５０により図１７に示すような角度位置に保持され、この角度位置では、第２切替弁９２に形成された突出部９２ｂが、第１切替弁９０の連通口９０ｂに挿入されているので、第１切替弁９０の連通口９０ｂの開口断面積を減少させる。従って、筒体７６の開口部７６ｃの開口断面積は、小洗浄モードのときよりさらに減少し、これにより、開口部７６ｃを介して、筒体７６の外方から内方へ流入する洗浄水の流量は、小洗浄モードのときより、さらに少なくなる。
【００７６】
次に、図１８に示すように、上述した大洗浄時及び小洗浄時と同様に、水位が筒体７６の上縁部７６ａ付近まで低下した時点で、筒体７６内の洗浄水が急激に排水口２２ａから排出されるようになる。
また、これに伴い、貯水筒７８ｄ内の洗浄水も、小穴７８ｅ、７８ｆから流出する流量に応じて所定の速度で低下し始める。ここで、このエコ洗浄モードでは、オーバーフロー管７４及び弁体７２が保持（ホールド）されているので、大洗浄モード及び小洗浄モードと異なり、図１９に示すように、貯水筒７８ｄ内の水位の低下に伴ってフロート８０のみが下降する。
【００７７】
そして、所定時間経過後、オーバーフロー管７４及び弁体７２の保持及び第２切替弁９２の保持を解除し、オーバーフロー管７４及び弁体７２を下降させて、弁体７２が排水口２２ａを閉じ、排水が終了する。
【００７８】
この排水終了時のオーバーフロー管７４及び弁体７２の保持（ホールド）の解除について詳細に説明する。本実施形態では、モータ５０による保持を解除し、オーバーフロー管７４及び弁体７２を、基本的にはそれらの自重により自由落下させて下降させるが、モータ５０のギアなどの機械摩擦等により少なからず反力を与えて、その下降速度を所定の速度に落とすようにしている。なお、保持を解除した後、モータ５０を電気的に駆動して下降速度を調節するようにしても良い。
【００７９】
本実施形態では、保持を解除するタイミングは、貯水筒７８ｄ内の洗浄水の水位がフロート８０に浮力を与えない水位まで低下したときとしている。
なお、保持を解除するタイミングは、オーバーフロー管７４及び弁体７２が、上述した所定の速度で下降し、オーバーフロー管７４に固定された固定部材８２がフロート８０の上面に当接した時点と、貯水筒７８ｄ内の洗浄水の水位がフロート８０に浮力を与えない水位まで低下した時点と、がほぼ同時となるように設定しても良い。
【００８０】
図２０に示す水位（ＷＬ３）は、閉弁直後の筒体７６の外方の水位であり、水位（ＤＷＬ（ａ））は、そのような閉弁後に、筒体７６の外方の洗浄水が、開口部７６ｃを介して筒体７６の内方に流入し、最終的に得られる、死水水位である。
【００８１】
このように、閉弁直後の筒体７６の外方の水位（ＷＬ３）が、開口部７６ｃの上縁より上方に位置するようにすることで、開口部７６ｃへ流入する洗浄水をヘッド圧が高いものとなり、大洗浄モード及び小洗浄モードと同様に、エコ小洗浄モードでも、洗浄が終了するまで水勢の強い洗浄水が排水される。
【００８２】
以上説明したように、各洗浄モードにおいて、閉弁直後の筒体７６の外方の水位（ＷＬ１、ＷＬ２、ＷＬ３）を、開口部７６ｃより上方に位置するようにすることで、開口部７６ｃへ流入する洗浄水をヘッド圧が高いものとすることが出来、これにより、本実施形態の洗浄水タンク装置を、特に、図１に示すような洗落し式大便器に備えた場合、洗浄効果が排水終了時まで持続され、効果が高いものとなる。
【００８３】
次に、図９、図１５及び図２１により、本実施形態による各洗浄モードにおける洗浄水量の調節について説明する。
図２１は、本発明の実施形態による洗浄水タンク装置の排水装置の制御筒の側面図であり、スライド部材が一方の小穴を開いている状態（ａ）及びスライド部材が一方の小穴を閉じている状態（ｂ）を示す図である。
【００８４】
以上の図７乃至図２０は、大洗浄、小洗浄、エコ小洗浄の各洗浄モードは、いずれも、上述した貯水筒７８ｄに形成した小穴７８ｅ、７８ｆが２つとも開かれた状態での動作である（図２１（ａ）の状態）。
ここで、大洗浄モード及び小洗浄モードでは、小穴７８ｅ、７８ｆのうち、一方の小穴７８ｅをスライド部材８６で閉じれば（図２１（ｂ）の状態）、それらの各洗浄モードにおける洗浄水量を増量させることが出来る。即ち、主に図５、図８において説明したように、本実施形態では、貯水筒７８ｄ内の洗浄水の水位が、小穴７８ｅ、７８ｆから流出する流量に応じて所定の速度で低下するよう、制御筒７８が形成されている。従って、一方の小穴７８ｅをスライド部材８６で閉じれば、貯水筒７８ｄ内から流出される洗浄水の流量が減り、貯水筒７８ｄ内の洗浄水の水位の低下速度を遅くすることが出来る。従って、上述したように、貯水筒７８ｄ内のフロート８０の下降に連動して下降するよう構成された弁体７２の下降速度も遅くすることが出来、下降速度を遅くした分、閉弁タイミングを遅らせて、洗浄水量を増量することが出来る。
【００８５】
図９及び図１５において、一方の小穴７８ｅをスライド部材８６で閉じた状態（図２１（ｂ））で得られる死水水位を「ＤＷＬ（ｂ）」として示す。この死水水位（ＤＷＬ（ｂ））は、２つの小穴７８ｅ、７８ｆが開かれたときの死水水位（ＤＷＬ（ａ））よりも下方となっている。本実施形態では、これらの死水水位に示されるように、大洗浄モード及び小洗浄モードでは、基本的には、２つの小穴７８ｅを開いた状態として節水するようにし、必要に応じて、一方の小穴７８ｅを閉じることで、洗浄水量を増量させることが出来るようにしている。
なお、本実施形態によるエコ小洗浄モードでは、オーバーフロー管７４及び弁体７２の保持の解除のタイミングを遅らせて、洗浄水量を増量させるようにしている。
【００８６】
なお、小穴は、２つに限らず、複数設けても良い。小穴を複数設け、スライド部材でそれらを段階的に閉じるようにすれば、所望される洗浄水量に応じて、各洗浄モードにおける洗浄水量の調節（閉弁タイミングの調節）を細かく設定することが出来る。また、貯水筒７８ｄから流出される洗浄水の流量を調節出来るものであれば、小穴に限らず、例えば、貯水筒７８ｄの側面に横方向に延びる長孔を設け、その長孔が延びる方向と同じ方向にスライド可能なスライド部材でその長孔の開口断面積を無段階に調節するような機構を設けても良い。
【００８７】
上述した本発明の実施形態による洗浄水タンク装置１８によれば、貯水タンク２２の排水口２２ａから水洗便器１へと供給される洗浄水の水量が、大洗浄モード、小洗浄モード、エコ小洗浄モードの多段階が得られるよう、筒体７６の開口部７６ｃの開口断面積を調節可能に開閉する切替弁９０、９２を有するので、効果的に、簡単な構造で、多段階の洗浄水量を得ることが出来る。その結果、近年の節水ニーズの要請も満たすことが出来る。
【００８８】
また、第１切替弁９０には、その開口断面積が筒体７６の開口部７６ｃの開口断面積より小さく、筒体７６の開口部７６ｃを閉じたとき筒体７６の外方と内方とを連通させる連通口９０ｂが形成され、第２切替弁９２は、第１切替弁９０に近接されたとき、第１切替弁９０に形成された連通口９０ｂの開口断面積を減少させるように形成されているので、それらの切替弁の位置を上述したように調節するだけで、筒体７６の開口部７６ｃを全開にして得られる大洗浄モードと、筒体７６の開口部７６ｃの開口断面積を第１切替弁９０の連通口９０ｂの開口断面積と同程度の開口断面積まで減少させて得られる小洗浄モードと、筒体７６の開口部７６ｃの開口断面積を第１切替弁９０の連通口９０ｂの開口断面積より小さくして得られるエコ小洗浄モードの３段階の洗浄水量を容易に得ることが出来る。また、連通口９０ｂを形成した第１切替弁９０及びその連通口９２の開口断面積を減少させる突出部９２ｂを有する第２切替弁９２という簡単な構成により多段階洗浄を達成することが出来る。
【００８９】
また、オーバーフロー管７４及び弁体７２は、貯水部７８ｄ内の洗浄水が流出することによる貯水筒７８ｄ内の水位の低下に伴うフロート８０の下降に連動して下降し排水口２２ａを閉止させるよう構成され、その貯水部７６ｄ内の洗浄水の水位の低下速度は、小穴７８ｆ、７８ｅにより貯水部７８ｄ内の洗浄水を流出させる流量を調節することで調節することが出来るので、貯水筒７８ｄ内の水位の低下速度及びフロート８０の下降速度を変化させることが出来る。従って、フロート８０に連動して下降し排水口２２ａを閉止する弁体７２による閉弁タイミングも変化させることが出来る。その結果、大洗浄モード及び小洗浄モードにおいて、便器１へ供給される洗浄水量を変化させることが出来る。また、本発明は、このように貯水部７６ｄ内の水位の低下に連動させて弁体７２の下降速度を変化させることにより、閉弁タイミングを調節するものであり、フロート８０、オーバーフロー管７４及び弁体７２は、筒体７６の内方に配置された制御筒７８のさらに内方に設けられているので、筒体７６に形成された開口部７６ｃから流入する洗浄水の影響を受けることを抑制して、オーバーフロー管７４及び弁体７２の上下動の動作を安定させることが出来、より確実に、所望の洗浄水量を得ることが出来る。
【００９０】
また、貯水筒７８ｄに形成され貯水部７８ｄ内の洗浄水を流出させる小穴７８ｆ、７８ｅ（流出口）と、この流出口７８ｆ、７８ｅの開口断面積を調節するスライド部材（調節部材）８６と、を有するので、より確実に、貯水筒７８ｄ内の水位の低下速度及びフロート７８ｄの下降速度を変化させることが出来、従って、フロート８０に連動して下降し排水口２２ａを閉止する弁体７２の閉弁タイミングも、より確実に、変化させることが出来る。その結果、大洗浄モード及び小洗浄モードにおいて、便器１へ供給される洗浄水量をより確実に変化させることが出来る。
【００９１】
また、貯水部７６ｄの小穴７８ｆ、７８ｄは、筒体７６に形成された開口部７６ｃに対して反対側の側面に形成されているので、筒体７６の開口部７６ｃから筒体内に流入する洗浄水の影響を受けることを抑制して、貯水筒の流出口から流出される洗浄水の流量を安定させることが出来、その結果、排水弁の動作を安定させることが出来る。
【００９２】
また、スライド部材８６は、小穴７８ｅに対してスライドして、その開口断面積を調節するようになっているので、簡単な構造で、弁体７２による閉弁タイミングを変化させることが出来る。
【００９３】
また、貯水筒７６ｄに形成された流出口は、小穴７８ｆ、７８ｅは、少なくとも２つ形成され、スライド部材８６は、少なくとも２つの流出口のうち１つの小穴７８ｆを常時開き、残りの小穴７８ｆを所望される洗浄水量に応じて段階的に開閉するよう切り替えるので、各洗浄モードにおいて、少なくとも２通りに洗浄水量を得ることが出来る。
【００９４】
また、スライド部材８６は、貯水筒７６ｄに形成された２つの小穴７８ｆ、７８ｅのうち、一方の小穴７８ｅのみを開閉するよう設けられるので、スライド部材８６により２つの小穴７８ｆ、７８ｅを常時開いた状態にして、貯水筒７６ｄ内の水位の低下速度及びフロート８０の下降速度を早め、従って、弁体７２による閉弁タイミングも早めて、洗浄水量を少なくして近年の節水ニーズの要請を満たし、一方、所望される洗浄水量がそのような場合より多い場合には、スライド部材８６により小穴７８ｅを閉じ、小穴７８ｆからのみ洗浄水が流出されるようにして、貯水筒７８ｄ内の水位の低下速度及びフロート８０の下降速度をより遅くすることにより、弁体７２による閉弁タイミングをより遅くし、閉弁タイミングを遅らせた分、洗浄水量を増量することが出来る。
【符号の説明】
【００９５】
１  洗落し式水洗便器
６  導水路
２０  外装タンク
２２  貯水タンク
２２ａ  排水口
２４  蓋体
３４  洗浄水給水装置
４６  操作装置
４８  操作レバー
５２  操作ボタン
５４  回転伝達部材
５６  第１の引き上げ部材
５８  第２の引き上げ部材
６０  第１玉鎖
６２  第２玉鎖
７０  排水装置
７２  弁体
７４  オーバーフロー管
７４ａ  弁体保持部
７４ｂ  固定部材保持用凹部
７６  筒体
７６ａ  筒体の上縁部
７６ｂ  筒体の一側面
７６ｃ  筒体の開口部
７８  制御筒
７８ｄ  貯水筒
７８ｅ、７８ｆ  小穴
７８  流入口
８０  フロート
８２  固定部材
８６  スライド部材
９０  第１切替弁
９２  第２切替弁
９２  突出部
９４  軸体
【図１】
2011241555.tif 000003
【図２】
2011241555.tif 000004
【図３】
2011241555.tif 000005
【図４】
2011241555.tif 000006
【図５】
2011241555.tif 000007
【図６】
2011241555.tif 000008
【図７】
2011241555.tif 000009
【図８】
2011241555.tif 000010
【図９】
2011241555.tif 000011
【図１０】
2011241555.tif 000012
【図１１】
2011241555.tif 000013
【図１２】
2011241555.tif 000014
【図１３】
2011241555.tif 000015
【図１４】
2011241555.tif 000016
【図１５】
2011241555.tif 000017
【図１６】
2011241555.tif 000018
【図１７】
2011241555.tif 000019
【図１８】
2011241555.tif 000020
【図１９】
2011241555.tif 000021
【図２０】
2011241555.tif 000022
【図２１】
2011241555.tif 000023